【手続補正書】
【提出日】平成19年12月26日(2007.12.26)
【手続補正１】
【補正対象書類名】特許請求の範囲
【補正対象項目名】全文
【補正方法】変更
【補正の内容】
【特許請求の範囲】
【請求項１】
歯を撮像することにより、歯に関する測定情報を取得するものであって、さらに、撮像を行うことにより、該測定情報の信頼性を確保するために必要なキャリブレーション情報も取得し得るように構成された撮像手段と、
上記測定情報の取得時点と、上記キャリブレーション情報の取得時点と、の時間間隔を測定するために計時を行う計時手段と、
上記計時手段により計時されている時間に係る情報を報知するための報知手段と、
を具備したことを特徴とする歯科用撮像装置。
【請求項２】
上記計時手段は、上記測定情報の取得時点からの経過時間を測定するものであることを特徴とする請求項１に記載の歯科用撮像装置。
【請求項３】
上記報知手段は、上記計時手段により計時されている、測定情報の取得時点からの経過時間が、第１の所定時間以下であるときに、上記キャリブレーション情報を取得するように促す報知を行うものであることを特徴とする請求項２に記載の歯科用撮像装置。
【請求項４】
上記報知手段は、上記計時手段により計時されている、測定情報の取得時点からの経過時間が、上記第１の所定時間よりも短い第２の所定時間以上となったときに、上記キャリブレーション情報を取得するように促す報知を行うものであることを特徴とする請求項３に記載の歯科用撮像装置。
【請求項５】
上記計時手段は、上記キャリブレーション情報の取得時点からの経過時間を測定するものであることを特徴とする請求項２に記載の歯科用撮像装置。
【請求項６】
上記報知手段は、上記計時手段により計時されている、キャリブレーション情報の取得時点からの経過時間が、第１の所定時間以上であるときに、上記測定情報を取得するように促す報知を行うものであることを特徴とする請求項５に記載の歯科用撮像装置。
【請求項７】
上記報知手段は、上記計時手段により計時されている、キャリブレーション情報の取得時点からの経過時間が、上記第１の所定時間よりも長い第２の所定時間以下であるときに、上記測定情報を取得するように促す報知を行うものであることを特徴とする請求項６に記載の歯科用撮像装置。
【請求項８】
上記経過時間が上記第２の所定時間よりも大きいときに、上記測定情報の取得を禁止する制御手段をさらに具備したことを特徴とする請求項７に記載の歯科用撮像装置。
【請求項９】
上記キャリブレーション情報が取得されるまでは、測定情報の取得を禁止する制御手段をさらに具備したことを特徴とする請求項１に記載の歯科用撮像装置。
【請求項１０】
上記撮像手段は、基準となる分光反射率をもつ参照板を撮像することにより、上記キャリブレーション情報を取得するものであることを特徴とする請求項１から請求項９の何れか一項に記載の歯科用撮像装置。
【請求項１１】
帯域特性の異なる複数のＬＥＤ光源をさらに具備し、
上記測定情報は、上記複数のＬＥＤ光源を各帯域特性毎に発光させて歯を照明し、上記撮像手段により各帯域特性毎に照明された歯を各々撮像して得られた歯画像情報であり、
上記キャリブレーション情報は、上記複数のＬＥＤ光源を各帯域特性毎に発光させて上記参照板を照明し、上記撮像手段により各帯域特性毎に照明された参照板を各々撮像して得られた参照板画像情報であることを特徴とする請求項１０に記載の歯科用撮像装置。
【請求項１２】
上記測定情報は、さらに、上記複数のＬＥＤ光源の何れをも発光させることなく、上記撮像手段により歯を撮像して得られた歯画像情報を含み、
上記キャリブレーション情報は、さらに、上記複数のＬＥＤ光源の何れをも発光させることなく、上記撮像手段により参照板を撮像して得られた参照板画像情報を含むことを特徴とする請求項１１に記載の歯科用撮像装置。
【請求項１３】
上記測定情報の取得時点における上記複数のＬＥＤ光源の発光順序の選択と、上記キャリブレーション情報の取得時点における上記複数のＬＥＤ光源の発光順序の選択とが、同一となるように設定されていることを特徴とする請求項１１又は請求項１２に記載の歯科用撮像装置。
【請求項１４】
電源となるバッテリをさらに具備し、
上記参照板は、当該歯科用撮像装置のバッテリに電源を供給するためのクレードルに配設されたものであることを特徴とする請求項１０に記載の歯科用撮像装置。
【請求項１５】
当該歯科用撮像装置は、上記クレードルの所定位置に載置されたときに電源の供給を受け得るように構成されたものであり、
上記参照板は、当該歯科用撮像装置が上記クレードルの所定位置に載置されたときに、
上記撮像手段により撮像し得る位置に配設されたものであることを特徴とする請求項１４に記載の歯科用撮像装置。
【請求項１６】
上記時間間隔の情報は、上記測定情報に関連付けて保持されることを特徴とする請求項１に記載の歯科用撮像装置。
【請求項１７】
上記計時手段は、上記測定情報の取得時点から上記キャリブレーション情報の取得時点までの第１の時間間隔と、上記キャリブレーション情報の取得時点から上記測定情報の取得時点までの第２の時間間隔と、を測定するものであり、
上記第１の時間間隔と上記第２の時間間隔とに長短がある場合には、何れか短い方の時間間隔と、該短い方の時間間隔に対応するキャリブレーション情報と、がこれらに対応する上記測定情報に関連付けて保持され、長短がない場合には、該時間間隔と、該測定情報よりも前に取得されたキャリブレーション情報と、が該測定情報に関連付けて保持されることを特徴とする請求項１に記載の歯科用撮像装置。
【請求項１８】
上記第１の時間間隔と上記第２の時間間隔とに長短がある場合には、何れか長い方の時間間隔と、該長い方の時間間隔に対応するキャリブレーション情報と、がこれらに対応する上記測定情報に関連付けてさらに保持され、長短がない場合には、該時間間隔と、該測定情報よりも後に取得されたキャリブレーション情報と、が該測定情報に関連付けてさらに保持されることを特徴とする請求項１７に記載の歯科用撮像装置。
【請求項１９】
上記測定情報は、取得時点が最も時間的に近接したキャリブレーション情報との時間間隔が、所定時間以上である場合には、無効な測定情報とされることを特徴とする請求項１７に記載の歯科用撮像装置。
【請求項２０】
上記測定情報は、取得時点が最も時間的に近接したキャリブレーション情報を含む、取得時点が時間的に近接する複数のキャリブレーション情報を用いて補正されるものであることを特徴とする請求項１から請求項１９の何れか一項に記載の歯科用撮像装置。
【請求項２１】
上記測定情報は、上記複数のキャリブレーション情報から推定される、該測定情報の取得時点におけるキャリブレーション情報、を用いて補正されるものであることを特徴とする請求項２０に記載の歯科用撮像装置。
【請求項２２】
上記測定情報の取得時点におけるキャリブレーション情報は、上記複数のキャリブレーション情報に該測定情報との時間間隔に応じた重み付けを行うことにより、推定されるものであることを特徴とする請求項２１に記載の歯科用撮像装置。
【請求項２３】
上記測定情報の取得時点におけるキャリブレーション情報は、上記複数のキャリブレーション情報に該測定情報との時間間隔に反比例する重み付けを行って加算することにより、推定されるものであることを特徴とする請求項２２に記載の歯科用撮像装置。
【請求項２４】
上記補正を行う補正手段をさらに具備したことを特徴とする請求項２０から請求項２３の何れか一項に記載の歯科用撮像装置。
【請求項２５】
上記測定情報と、上記キャリブレーション情報と、上記時間間隔の情報と、を送信し得る通信手段をさらに具備し、
上記測定情報と上記キャリブレーション情報と上記時間間隔の情報とを送信して、上記補正を外部において行うように構成されたものであることを特徴とする請求項２０から請求項２３の何れか一項に記載の歯科用撮像装置。
【請求項２６】
電源となるバッテリと、
上記バッテリの電圧を検知するための電圧検知手段と、
をさらに具備し、
上記報知手段は、上記電圧検知手段により検知された電圧に関する報知をさらに行うものであることを特徴とする請求項１に記載の歯科用撮像装置。
【請求項２７】
上記報知手段は、上記電圧検知手段により検知されている電圧が、当該歯科用撮像装置が上記バッテリを電源として動作を開始した時点と、前回キャリブレーション情報を取得した時点と、の遅い方の時点の電圧から所定値以上低下したときに、上記キャリブレーション情報を取得するように促す報知を行うものであることを特徴とする請求項２６に記載の歯科用撮像装置。
【請求項２８】
上記報知手段は、上記電圧検知手段により検知されている電圧が、最後に測定情報を取得した時点の電圧から所定値以上低下したときに、上記キャリブレーション情報を取得するように促す報知を行うものであることを特徴とする請求項２６に記載の歯科用撮像装置。
【手続補正２】
【補正対象書類名】明細書
【補正対象項目名】００１６
【補正方法】変更
【補正の内容】
【００１６】
第１１の発明による歯科用撮像装置は、上記第１０の発明による歯科用撮像装置において、帯域特性の異なる複数のＬＥＤ光源をさらに具備し、上記測定情報は、上記複数のＬＥＤ光源を各帯域特性毎に発光させて歯を照明し、上記撮像手段により各帯域特性毎に照明された歯を各々撮像して得られた歯画像情報であり、上記キャリブレーション情報は、上記複数のＬＥＤ光源を各帯域特性毎に発光させて上記参照板を照明し、上記撮像手段により各帯域特性毎に照明された参照板を各々撮像して得られた参照板画像情報である。
【手続補正３】
【補正対象書類名】明細書
【補正対象項目名】００１７
【補正方法】変更
【補正の内容】
【００１７】
第１２の発明による歯科用撮像装置は、上記第１１の発明による歯科用撮像装置において、上記測定情報は、さらに、上記複数のＬＥＤ光源の何れをも発光させることなく、上記撮像手段により歯を撮像して得られた歯画像情報を含み、上記キャリブレーション情報は、さらに、上記複数のＬＥＤ光源の何れをも発光させることなく、上記撮像手段により参照板を撮像して得られた参照板画像情報を含む。
【手続補正４】
【補正対象書類名】明細書
【補正対象項目名】００１８
【補正方法】変更
【補正の内容】
【００１８】
第１３の発明による歯科用撮像装置は、上記第１１又は第１２の発明による歯科用撮像装置において、上記測定情報の取得時点における上記複数のＬＥＤ光源の発光順序の選択と、上記キャリブレーション情報の取得時点における上記複数のＬＥＤ光源の発光順序の選択とが、同一となるように設定されている。
【手続補正５】
【補正対象書類名】明細書
【補正対象項目名】００１９
【補正方法】変更
【補正の内容】
【００１９】
第１４の発明による歯科用撮像装置は、上記第１０の発明による歯科用撮像装置において、電源となるバッテリをさらに具備し、上記参照板は、当該歯科用撮像装置のバッテリに電源を供給するためのクレードルに配設されたものである。
【手続補正６】
【補正対象書類名】明細書
【補正対象項目名】００２０
【補正方法】変更
【補正の内容】
【００２０】
第１５の発明による歯科用撮像装置は、上記第１４の発明による歯科用撮像装置において、当該歯科用撮像装置は、上記クレードルの所定位置に載置されたときに電源の供給を受け得るように構成されたものであり、上記参照板は、当該歯科用撮像装置が上記クレードルの所定位置に載置されたときに、上記撮像手段により撮像し得る位置に配設されたものである。
【手続補正７】
【補正対象書類名】明細書
【補正対象項目名】００２１
【補正方法】変更
【補正の内容】
【００２１】
第１６の発明による歯科用撮像装置は、上記第１の発明による歯科用撮像装置において、上記時間間隔の情報は、上記測定情報に関連付けて保持される。
【手続補正８】
【補正対象書類名】明細書
【補正対象項目名】００２２
【補正方法】変更
【補正の内容】
【００２２】
第１７の発明による歯科用撮像装置は、上記第１の発明による歯科用撮像装置において、上記計時手段は、上記測定情報の取得時点から上記キャリブレーション情報の取得時点までの第１の時間間隔と、上記キャリブレーション情報の取得時点から上記測定情報の取得時点までの第２の時間間隔と、を測定するものであり、上記第１の時間間隔と上記第２の時間間隔とに長短がある場合には、何れか短い方の時間間隔と、該短い方の時間間隔に対応するキャリブレーション情報と、がこれらに対応する上記測定情報に関連付けて保持され、長短がない場合には、該時間間隔と、該測定情報よりも前に取得されたキャリブレーション情報と、が該測定情報に関連付けて保持される。
【手続補正９】
【補正対象書類名】明細書
【補正対象項目名】００２３
【補正方法】変更
【補正の内容】
【００２３】
第１８の発明による歯科用撮像装置は、上記第１７の発明による歯科用撮像装置において、上記第１の時間間隔と上記第２の時間間隔とに長短がある場合には、何れか長い方の時間間隔と、該長い方の時間間隔に対応するキャリブレーション情報と、がこれらに対応する上記測定情報に関連付けてさらに保持され、長短がない場合には、該時間間隔と、該測定情報よりも後に取得されたキャリブレーション情報と、が該測定情報に関連付けてさらに保持される。
【手続補正１０】
【補正対象書類名】明細書
【補正対象項目名】００２４
【補正方法】変更
【補正の内容】
【００２４】
第１９の発明による歯科用撮像装置は、上記第１７の発明による歯科用撮像装置において、上記測定情報は、取得時点が最も時間的に近接したキャリブレーション情報との時間間隔が、所定時間以上である場合には、無効な測定情報とされる。
【手続補正１１】
【補正対象書類名】明細書
【補正対象項目名】００２５
【補正方法】変更
【補正の内容】
【００２５】
第２０の発明による歯科用撮像装置は、上記第１から第１９の発明による歯科用撮像装置において、上記測定情報は、取得時点が最も時間的に近接したキャリブレーション情報を含む、取得時点が時間的に近接する複数のキャリブレーション情報を用いて補正されるものである。
【手続補正１２】
【補正対象書類名】明細書
【補正対象項目名】００２６
【補正方法】変更
【補正の内容】
【００２６】
第２１の発明による歯科用撮像装置は、上記第２０の発明による歯科用撮像装置において、上記測定情報は、上記複数のキャリブレーション情報から推定される、該測定情報の取得時点におけるキャリブレーション情報、を用いて補正されるものである。
【手続補正１３】
【補正対象書類名】明細書
【補正対象項目名】００２７
【補正方法】変更
【補正の内容】
【００２７】
第２２の発明による歯科用撮像装置は、上記第２１の発明による歯科用撮像装置において、上記測定情報の取得時点におけるキャリブレーション情報は、上記複数のキャリブレーション情報に該測定情報との時間間隔に応じた重み付けを行うことにより、推定されるものである。
【手続補正１４】
【補正対象書類名】明細書
【補正対象項目名】００２８
【補正方法】変更
【補正の内容】
【００２８】
第２３の発明による歯科用撮像装置は、上記第２２の発明による歯科用撮像装置において、上記測定情報の取得時点におけるキャリブレーション情報は、上記複数のキャリブレーション情報に該測定情報との時間間隔に反比例する重み付けを行って加算することにより、推定されるものである。
【手続補正１５】
【補正対象書類名】明細書
【補正対象項目名】００２９
【補正方法】変更
【補正の内容】
【００２９】
第２４の発明による歯科用撮像装置は、上記第２０から第２３の発明による歯科用撮像装置において、上記補正を行う補正手段をさらに具備したものである。
【手続補正１６】
【補正対象書類名】明細書
【補正対象項目名】００３０
【補正方法】変更
【補正の内容】
【００３０】
第２５の発明による歯科用撮像装置は、上記第２０から第２３の発明による歯科用撮像装置において、上記測定情報と、上記キャリブレーション情報と、上記時間間隔の情報と、を送信し得る通信手段をさらに具備し、 上記測定情報と上記キャリブレーション情報と上記時間間隔の情報とを送信して、上記補正を外部において行うように構成されたものである。
【手続補正１７】
【補正対象書類名】明細書
【補正対象項目名】００３１
【補正方法】変更
【補正の内容】
【００３１】
第２６の発明による歯科用撮像装置は、上記第１の発明による歯科用撮像装置において、電源となるバッテリと、上記バッテリの電圧を検知するための電圧検知手段と、をさらに具備し、上記報知手段は、上記電圧検知手段により検知された電圧に関する報知をさらに行うものである。
【手続補正１８】
【補正対象書類名】明細書
【補正対象項目名】００３２
【補正方法】変更
【補正の内容】
【００３２】
第２７の発明による歯科用撮像装置は、上記第２６の発明による歯科用撮像装置において、上記報知手段は、上記電圧検知手段により検知されている電圧が、当該歯科用撮像装置が上記バッテリを電源として動作を開始した時点と、前回キャリブレーション情報を取得した時点と、の遅い方の時点の電圧から所定値以上低下したときに、上記キャリブレーション情報を取得するように促す報知を行うものである。
第２８の発明による歯科用撮像装置は、上記第２６の発明による歯科用撮像装置において、上記報知手段は、上記電圧検知手段により検知されている電圧が、最後に測定情報を取得した時点の電圧から所定値以上低下したときに、上記キャリブレーション情報を取得するように促す報知を行うものである。